(57)【特許請求の範囲】
【請求項１】
食器類を収納して洗浄する洗浄槽と、前記洗浄槽を内設した食器洗い機本体と、前記洗浄槽への給水を制御し前記食器洗い機本体の外に配置された電磁給水弁と、前記食器洗い機本体背面に固着されたホース接続具と、前記電磁給水弁の下流側に水密に接続された給水ホースと、一端が前記ホース接続具内で前記給水ホースと水密に接続され、他端が前記洗浄槽と接続された内部給水ホースと、漏水を検知する検知手段と、前記給水ホースを覆うと共に、一端が水密に前記電磁給水弁に接続され、他端が前記ホース接続具内に解放された導水管状体と、前記導水管状体の前記ホース接続具側に圧入されると共に、前記ホース接続具側内に備えられるガイドとを備え、前記ガイドには前記洗浄槽側に突出した導水部を設け、前記導水部の底面が前記ガイドの上縁より低くなるように構成した食器洗い機。
【請求項２】
導水管状体のホース接続具側の内面に圧入されたカラーを備え、ガイドの外周で前記カラーに形成した支持部位置にホースバンドを備え、ホース接続具のホースバンド取付け部位に、前記ホースバンドの一部が収納される溝を形成した請求項１に記載の食器洗い機。
【請求項３】
カラーに、導水管状体に形成した山部と嵌合する凸部ａを形成し、ガイドに、前記導水管状体に形成した谷部と嵌合する凸部ｂを形成した請求項２に記載の食器洗い機。
【請求項４】
カラーに設けた支持部の開口の面積を、給水ホースの孔面積より大きくする構成とした請求項２又は３に記載の食器洗い機。
【請求項５】
ガイドの導水部を検知手段方向に傾斜させた請求項１〜４のいずれか１項に記載の食器洗い機。
【請求項６】
ガイドに形成した導水部の断面積を、給水ホースの孔面積より大きくした請求項１〜５のいずれか１項に記載の食器洗い機。
【発明の詳細な説明】
【技術分野】
【０００１】
本発明は、電磁給水弁や給水ホースによって水道水を洗浄槽内に供給して、洗浄槽内に設置された食器類を洗浄する食器洗い機に関するものである。
【背景技術】
【０００２】
従来のこの種の食器洗い機においては、給水配管から水を洗浄槽内に供給する手段として、食器洗い機本体に固着した電磁給水弁に給水ホースを接続し、給水ホースの給水配管側先端にはワンタッチカプラー状のジョイントを取付け、給水ポンプが取付け可能とし、給水ポンプに制御信号を送るための制御信号接続部を食器洗い機本体に設けたものがある（例えば、特許文献１参照）。
【０００３】
又、従来の他の食器洗い機として、食器洗い機本体から引き出された給水配管に接続される給水ホースおよび、排水配管に接続される排水ホースの前記給水ホースの給水配管近傍に給水弁を配設するとともに、少なくとも給水ホース側の食器洗い機本体内から前記給水配管までに存在する食器洗い機およびその設置に必要な構成要素を、水密構造で一端が食器洗い機本体内に開放された導水管状体内に収納している（例えば、特許文献２参照）。
【０００４】
図９は、上記特許文献１に記載された食器洗い機の断面図である。
【０００５】
図９において、食器洗い機１は、内部に洗浄槽２を設けており、食器洗い機本体３に固着された電磁給水弁４により、洗浄槽２内に水を供給するようにしている。電磁給水弁４には、給水ホース５が接続され、給水ホース５の給水配管６側先端にはワンタッチカプラー状のジョイント７を取付け、給水ポンプ８が取付け可能とし、給水ポンプ８に、制御信号を送るための制御信号接続部９を食器洗い機本体３に設けている。
【０００６】
上記構成により、給水ポンプ８を、給水ホース５の先端に取付けられたジョイント７に接続し、給水ホース５の通電用コード９ａを制御信号接続部９に接続して、引き出した洗浄槽２内に食器類１０を入れ、洗浄槽２を食器洗い機本体３に収めて洗浄を開始すれば、電磁給水弁４と給水ポンプ８が動作して、給水配管６からの水を洗浄槽２内に供給することができ、食器類１０の洗浄を行うことができるようになっている。
【０００７】
次に、上記特許文献２に開示された従来の他の食器洗い機について、図１０を用いて説明する。
【０００８】
食器洗い機の食器洗い機本体１１から引き出された給水配管６に接続される給水ホース１２および、排水配管１３に接続される排水ホース１４の前記給水ホース１２の給水配管６近傍に電磁給水弁１５を配設するとともに、少なくとも給水ホース１２側の食器洗い機本体１１内から前記給水配管６までに存在する食器洗い機１６およびその設置に必要な構成要素を水密構造で一端が食器洗い機本体１１内に開放された導水管状体１７内に収納している。
【０００９】
上記構成により、食器洗い機本体１１から引き出された給水ホース１２の給水配管６近傍に電磁給水弁１５を配しているので、給水時以外でも、電磁給水弁１５より下流側に水流や水圧が加わらず、仮に漏水箇所があっても漏水は最小限に抑えられるようになっている。更に、少なくとも給水ホース１２を含めて食器洗い機本体１１内から給水配管６までの間に存在する構成要素を含めて導水管状体１７内に収納しているので、漏水が発生した
場合でも、漏水した水は、導水管状体１７内に溜められるか、導水管状体１７の食器洗い機本体１１内に開放された端部から食器洗い機本体１１内に流入するようになっている。
【特許文献１】特開２００６−１１０１２６号公報
【特許文献２】特開２００７−２０２８７５号公報
【発明の開示】
【発明が解決しようとする課題】
【００１０】
しかしながら、上記特許文献１に開示された従来の食器洗い機の構成では、使用者や施工者によって、給水ポンプ８がジョイント７に取付けられたり、取外されたりすることになり、給水ホース５とジョイント７の接続部に不備があったり、給水ホース５に損傷があると水漏れするいった課題を有していた。また、水漏れが発生した場合にも検知する手段がないことから、キッチンの床面まで水漏れ被害が拡大するといった課題を有していた。
【００１１】
又、上記特許文献２に開示された従来の食器洗い機では、少なくとも給水ホース１２を含めて食器洗い機本体１１内から給水配管６までの間に存在する構成要素を含めて導水管状体１７内に収納しているので、漏水が発生した場合でも、漏水した水は導水管状体１７内に溜められるか、導水管状体１７の食器洗い機本体１１内に開放された端部から食器洗い機本体１１内に流入するようになっているが、導水管状体１７の開放された端部１７ａから溢れた漏水を確実に食器洗い機本体１１内に流入させる手段を開示するものではなく、構成によっては、開放された端部１７ａから溢れた漏水が導水管状体表面１７ｂを伝わって食器洗い機本体１１から外に流れ出るといった課題を有していた。
【００１２】
本発明は、前記従来の課題を解決するもので、給水ホース部からの水漏れを防止し、安全な食器洗い機を提供することを目的とする。
【００１３】
また、導水管状体の食器洗い機本体側の開放された端部から導水管状体などを伝わって漏水が食器洗い機本体から流出することを防止し、安全な食器洗い機を提供することを目的とする。
【課題を解決するための手段】
【００１４】
上記目的を達成するために本発明の食器洗い機は、食器類を収納して洗浄する洗浄槽と、前記洗浄槽を内設した食器洗い機本体と、前記洗浄槽への給水を制御し前記食器洗い機本体の外に配置された電磁給水弁と、前記食器洗い機本体背面に固着されたホース接続具と、前記電磁給水弁の下流側に水密に接続された給水ホースと、一端が前記ホース接続具内で前記給水ホースと水密に接続され、他端が前記洗浄槽と接続された内部給水ホースと、漏水を検知する検知手段と、前記給水ホースを覆うと共に、一端が水密に前記電磁給水弁に接続され、他端が前記ホース接続具内に解放された導水管状体と、前記導水管状体の前記ホース接続具側に圧入されると共に、前記ホース接続具側内に備えられるガイドとを備え、前記ガイドには前記洗浄槽側に突出した導水部を設け、前記導水部の底面が前記ガイドの上縁より低くなるように構成したもので、食器洗い機本体背面に固着されたホース接続具から外部に引き出された給水ホースの給水配管近傍に電磁給水弁を配しているので、給水時以外では電磁給水弁より下流側に水流や水圧は加わらない。更に、食器洗い機本体背面に固着されたホース接続具から電磁給水弁までの給水ホースを導水管状体内に収容しているので、食器洗い機の設置工事における作業不備に伴う原因を含めた漏水が発生した場合でも、漏水した水は導水管状体の中に止められ、漏水量が所定量を越えると導水管状体に導かれてガイドを伝わって食器洗い機本体内に流れ落ちていくことになる。ガイドは導水管状体に圧入していることから、導水管状体から溢れた漏水は導水部から食器洗い機本体内に流れ落ちることになり、導水管状体を伝わって食器洗い機の外部に流れ落ちていくことはなく、食器洗い機本体内に流れ落ちた漏水は検知手段によって使用者に漏水を知らせるができ、見えない場所で発生する漏水による被害を防止することが可能となる。
【発明の効果】
【００１５】
食器洗い機は所定位置に設置するときに、給水及び排水の管路接続や配線などを行う設置工事が不可欠であり、その設置工事において給水ホースに損傷が発生して漏水が発生した場合や、設置工事の不備などから給水ホースに異常なストレスが加わり、使用中にこの部分から漏水が発生した場合などでも、漏水を導水管状体内にとどめたり、導水管状体、ガイドおよびガイドに形成した導水部から確実に食器洗い機本体内に流し込むことができ、検知手段は漏水を早く検知して使用者に漏水を知らせるができ、見えない場所で発生する漏水による被害を防止することが可能となる。
【発明を実施するための最良の形態】
【００１６】
第１の発明は、食器類を収納して洗浄する洗浄槽と、前記洗浄槽を内設した食器洗い機本体と、前記洗浄槽への給水を制御し前記食器洗い機本体の外に配置された電磁給水弁と、前記食器洗い機本体背面に固着されたホース接続具と、前記電磁給水弁の下流側に水密に接続された給水ホースと、一端が前記ホース接続具内で前記給水ホースと水密に接続され、他端が前記洗浄槽と接続された内部給水ホースと、漏水を検知する検知手段と、前記給水ホースを覆うと共に、一端が水密に前記電磁給水弁に接続され、他端が前記ホース接続具内に解放された導水管状体と、前記導水管状体の前記ホース接続具側に圧入されると共に、前記ホース接続具側内に備えられるガイドとを備え、前記ガイドには前記洗浄槽側に突出した導水部を設け、前記導水部の底面が前記ガイドの上縁より低くなるように構成したもので、食器洗い機本体背面に固着されたホース接続具から外部に引き出された給水ホースの給水配管近傍に電磁給水弁を配しているので、給水時以外では電磁給水弁より下流側に水流や水圧は加わらない。更に、食器洗い機本体背面に固着されたホース接続具から電磁給水弁までの給水ホースを導水管状体内に収容しているので、食器洗い機の設置工事における作業不備に伴う原因を含めた漏水が発生した場合でも、漏水した水は導水管状体の中に止められ、漏水量が所定量を越えると導水管状体に導かれてガイドを伝わって食器洗い機本体内に流れ落ちていくことになる。ガイドは導水管状体に圧入していることから、導水管状体から溢れた漏水は導水部から食器洗い機本体内に流れ落ちることになり、導水管状体を伝わって食器洗い機の外部に流れ落ちていくことはなく、食器洗い機本体内に流れ落ちた漏水は検知手段によって使用者に漏水を知らせるができ、見えない場所で発生する漏水による被害を防止することが可能となる。
【００１７】
第２の発明は、特に、第１の発明の導水管状体のホース接続具側の内面に圧入されたカラーを備え、ガイドの外周でカラーに形成した支持部位置にホースバンドを備え、ホース接続具のホースバンド取付け部位に、前記ホースバンドの一部が収納される溝を形成したもので、ホースバンドはホース接続具の所定位置からずれることなく保持され給水ホース、カラー、導水管状体およびガイドを密着させることができることから導水管状体とガイド間の隙間から漏水が導水管状体を伝わって食器洗い器の外部に流れ落ちていくことを確実に防止することができる。
【００１８】
第３の発明は、特に、第２の発明のカラーに、導水管状体に形成した山部と嵌合する凸部ａを形成し、ガイドに、前記導水管状体に形成した谷部と嵌合する凸部ｂを形成したもので、カラーの凸部ａが導水管状体の山部と嵌合してカラーがずれることが防止できるとともに、ガイドの凸部ｂが導水管状体の谷部と嵌合してガイドがずれるのを防止できることから、導水管状体から溢れた漏水がカラー、導水管状体およびガイド間の隙間から導水管状体を伝わって食器洗い機本体外に流れ落ちるのを防止することができる。
【００１９】
第４の発明は、特に、第２又は３のいずれか一つの発明のカラーに設けた支持部の開口の面積を、給水ホースの孔面積より大きくしたもので、給水ホースが損傷して、給水ホースからの水量の全てが導水管状体内に溢れてきたとしても開口部で抵抗されることなく食器洗い機本体内に流れ落ちていくことになり、導水管状体内で漏水が加圧され、ガイドと導水管状体の隙間から食器洗い機本体に流れ落ちるのを防止することができる。
【００２０】
第５の発明は、特に、第１〜４のいずれか一つの発明のガイドの導水部を検知手段方向に傾斜させたもので、導水管状体内に溢れた漏水はガイドに達し、ガイドの導水部から検知手段方向に向かって流れ落ちていくので、検知手段は漏水を早く検知することが可能で、使用者により早く漏水を知らせるができ、見えない場所で発生する漏水による被害を防止することが可能となる。
【００２１】
第６の発明は、特に、第１〜５のいずれか一つの発明のガイドに形成した導水部の断面積を、給水ホースの孔面積より大きくしたもので、給水ホースが損傷して、給水ホースからの水量の全てが導水管状体内に溢れてきたとしても、ガイドの導水部でせき止められることなく食器洗い機本体内に流れ落ちていくことになり、食器洗い機本体外に流れ落ちるのを防止することができる。
【００２２】
以下、本発明の実施の形態について、図面を参照しながら説明する。なお、この実施の形態によって本発明が限定されるものではない。
【００２３】
（実施の形態１）
図１は、本発明の第１の実施の形態における食器洗い機の断面図、図２は、同食器洗い機の要部拡大断面図である。
【００２４】
図１及び図２において、本実施の形態における食器洗い機１８の食器洗い機本体１９内には、洗浄槽２が開閉自在に配設され、洗浄槽２内には、食器カゴ２０が配置されており、食器カゴ２０に食器類１０を載せて洗浄することができる。
【００２５】
食器類１０を洗浄するために、洗浄槽２への給水を制御する電磁給水弁１５が食器洗い機本体１９より外に配置され、給水配管６と接続されている。電磁給水弁１５の下流側には給水ホース１２が水密に接続され、給水ホース１２は、さらに食器洗い機本体背面１９ａに固着されたホース接続具２１内で、内部給水ホース２２と水密に接続されている。
【００２６】
内部給水ホース２２の下流側は、洗浄槽２と水密に接続されている。食器洗い機本体底面１９ｂには、漏水を検知する検知手段２３が固着されている。給水ホース１２を覆う導水管状体１７の一端は、水密に電磁給水弁１５に接続され、他端は、ホース接続具２１内に解放されており、導水管状体１７のホース接続具２１側には、導水管状体１７内面に圧入されたカラー２４と、導水管状体１７の外周に圧入されたガイド２５が備えられている。
【００２７】
また、カラー２４の内側に、給水ホース１２と接触する支持部２４ａを設け、支持部２４ａには開口２４ｂを設けている。さらに、ガイド２５には洗浄槽２側に突出した導水部２５ａが設けられ、導水部の底面２５ｂは、ガイド２５の上縁２５ｃより低い位置に形成されている。
【００２８】
上記構成によれば、食器洗い機本体背面１９ａに固着されたホース接続具２１から外部に引き出された給水ホース１２の給水配管６近傍に電磁給水弁１５を配しているので、給水時以外では、電磁給水弁１５より下流側に水流や水圧は加わらない。
【００２９】
更に、食器洗い機本体背面１９ａに固着されたホース接続具２１から電磁給水弁４までの給水ホース１２を、導水管状体１７内に収容しているので、食器洗い機１８の設置工事における作業不備に伴う原因を含めた漏水が発生した場合でも、漏水した水は、導水管状体１７の中に止められ、漏水量が、所定量を越えると導水管状体１７に導かれてホース接続具２１側の端部に圧入しているカラー２４に達し、カラー支持部２４ａの開口２４ｂを通過し、さらにガイド２５からガイド２５に形成した導水部２５ａに達し、導水部２５ａの底面２５ｂは、ガイド２５の上縁２５ｃより低くなっていることから、漏水は、導水部２５ａから食器洗い機本体１９内に流れ落ちていくことになる。
【００３０】
また、カラー２４の支持部２４ａが、給水ホース１２と接触し、カラー２４は、導水管状体１７の内面に圧入され、さらにガイド２５は、導水管状体１７の外周に圧入していることから、導水管状体１７が肉薄であっても、導水管状体１７は、給水ホース１２、カラー２４によって支持され、ガイド２５と密着することになり、導水管状体１７から溢れた漏水は、導水部２５ａから食器洗い機本体１９内に流れ落ちることになり、導水管状体１７を伝わって食器洗い機本体１９外に流れ落ちていくことはなく、食器洗い機本体１９内に流れ落ちた漏水は、検知手段２３によって使用者に漏水を知らせるができ、見えない場所で発生する漏水による被害を防止することが可能となる。
【００３１】
（実施の形態２）
図３は、本発明の第２の実施の形態における食器洗い機のホースバンドの取付け状態を示す正面図、図４は、同ホースバンドとホース接続具との関係を示す断面図である。なお、上記第１の実施の形態における食器洗い機と同一部分については、同一符号を付してその説明を省略する。
【００３２】
図３および図４において、ホースバンド２６が、ガイド２５の外周２５ｄでカラー２４に形成した支持部２４ａの位置に取付けられており、さらにホース接続具２１に形成された溝２１ａに、ホースバンド２６の一部が収納される構成としたもので、これにより、ホースバンド２６は、溝２１ａによって所定の位置に規制され、ガイド２５、導水管状体１７、カラー２４および給水ホース１２を密着させることができ、給水ホース１２から漏水が発生しても、導水管状体１７とガイド２５の隙間などから食器洗い機本体１９から外に流れ落ちることはなく見えない場所での漏水による被害を防止することが可能となる。
【００３３】
（実施の形態３）
図５は、本発明の第３の実施の形態における食器洗い機のカラーとガイドの取付け状態を示す断面図である。なお、上記実施の形態における食器洗い機と同一部分については、同一符号を付してその説明を省略する。
【００３４】
図５において、本実施の形態における食器洗い機のカラー２４には、導水管状体１７に形成した山部１７ａと嵌合する凸部Ａ２４ｃを形成し、ガイド２５には、導水管状体１７に形成した谷部１７ｂと嵌合する凸部Ｂ２５ｅを形成したもので、他の構成は、上記実施の形態における食器洗い機と同一なので、その説明を省略する。
【００３５】
以上のように、本実施の形態によれば、カラー２４の凸部Ａ２４ｃが導水管状体１７の山部１７ａと嵌合してカラー２４がずれるのが防止できるとともに、ガイド２５の凸部Ｂ２５ｅが導水管状体１７の谷部１７ｂと嵌合してガイド２５がずれるのを防止できるので、導水管状体１７から溢れた漏水がカラー２４、導水管状体１７およびガイド２５間の隙
間などから導水管状体１７を伝わって食器洗い機本体１９外に流れ落ちるのを確実に防止することができる。
【００３６】
（実施の形態４）
図６は、本発明の第４の実施の形態における食器洗い機のカラーの開口形状を示す断面図である。なお、上記実施の形態における食器洗い機と同一部分については、同一符号を付してその説明を省略する。
【００３７】
本実施の形態における食器洗い機は、図６に示すように、カラー２４の内側に設けた支持部２４ａに形成した開口２４ｂの面積Ｂを、給水ホース１２の孔面積Ａより大きくするもので、他の構成は、上記実施の形態における食器洗い機と同一なので、その説明を省略する。
【００３８】
本実施の形態は、以上のように構成されているので、給水ホース１２が損傷して、給水ホース１２からの水量の全てが導水管状体１７内に溢れてきたとしても、漏水が開口２４ｂで抵抗が発生して導水管状体１７内で加圧されることがないことから、ガイド２５と導水管状体１７の隙間から食器洗い機本体１９の外に流れ落ちるのを防止することができる。
【００３９】
（実施の形態５）
図７は、本発明の第５の実施の形態における食器洗い機のガイドに設けた導水部と検出手段の位置関係を説明した平面図である。なお、上記実施の形態における食器洗い機と同一部分については、同一符号を付してその説明を省略する。
【００４０】
本実施の形態における食器洗い機は、図７に示すように、ガイド２５に形成した導水部２５ａを、検知手段２３方向に傾斜させて形成したもので、他の構成は、上記実施の形態と同じである。
【００４１】
上記構成により、導水管状体１７内に溢れた漏水は、ガイド２５に達し、ガイド２５の導水部２５ａから検知手段２３方向に向かって流れ落ちていくので、検知手段２３は、漏水を早く検知することが可能となり、使用者に、より早く漏水を知らせるができ、見えない場所で発生する漏水による被害を防止することが可能となる。
【００４２】
（実施の形態６）
図８（Ａ）は、本発明の第６の実施の形態における食器洗い機のガイドに設けた導水部を示す平面図、図８（Ｂ）は、同ガイドの導水部を示す断面図である。なお、上記実施の形態における食器洗い機と同一部分については、同一符号を付してその説明を省略する。
【００４３】
図８（Ａ）、（Ｂ）において、本実施の形態における食器洗い機は、ガイド２５に形成した導水部２５ａの断面積Ｃを、給水ホース１２の孔面積Ｂ（図６に図示）より大きく設定したもので、他の構成は、上記実施の形態と同じである。
【００４４】
上記構成により、給水ホース１２が損傷して、給水ホース１２からの水量の全てが導水管状体１７内に溢れてきたとしても、ガイド２５の導水部２５ａで抵抗を受けることはなく食器洗い機本体１９内に流れ落ちていくことになり、食器洗い機本体１９の外に流れ落ちるのを防止することができ、見えない場所で発生する漏水による被害を防止することが可能となる。
【産業上の利用可能性】
【００４５】
以上のように本発明に係る食器洗い機は、設置工事の不備に伴なう漏水対策を講じるこ
とができる。設置する際に設置工事が伴なう食器洗い機は、給水配管接続などを行う設置工事において作業不備があると、食器洗い機が正常に機能していても漏水を生じることになるが、給水ホースを含めた構成要素を包含して導水管状体の中に収納して、導水管状体に圧入しているガイドから食器洗い機本体内に確実に収納できることから、漏水に伴なう被害を最小限に抑えた食器洗い機を提供することができる。
【図面の簡単な説明】
【００４６】
【図１】本発明の第１の実施の形態における食器洗い機の構成を示した断面図
【図２】同食器洗い機の要部拡大断面図
【図３】本発明の第２の実施の形態における食器洗い機のホースバンドの取付け状態を示す正面図
【図４】同ホースバンドとホース接続具との関係を示す断面図
【図５】本発明の第３の実施の形態における食器洗い機のカラーとガイドの取付け状態を示す断面図
【図６】本発明の第４の実施の形態における食器洗い機のカラーの開口形状を示す断面図
【図７】本発明の第５の実施の形態における食器洗い機のガイドに設けた導水部と検知手段の位置関係を示した平面図
【図８】（Ａ）本発明の第６の実施の形態における食器洗い機のガイドに設けた導水部を示す平面図（Ｂ）同ガイドの導水部を示す断面図
【図９】従来の食器洗い機の断面図
【図１０】従来の他の食器洗い機の断面図
【符号の説明】
【００４７】
２  洗浄槽
１０  食器類
１２  給水ホース
１５  電磁給水弁
１７  導水管状体
１７ａ  山部
１７ｂ  谷部
１８  食器洗い機
１９  食器洗い機本体
１９ａ  食器洗い機本体背面
１９ｂ  食器洗い機本体底面
２１  ホース接続具
２１ａ  溝
２２  内部給水ホース
２３  検知手段
２４  カラー
２４ａ  支持部
２４ｂ  開口
２５  ガイド
２５ａ  導水部
２５ｂ  底面
２５ｃ  上縁
２５ｄ  外周
２６  ホースバンド
Ａ  開口２４ｂの面積
Ｂ  給水ホースの孔面積
Ｃ  導水部の断面積
【図２】
0004985539.tif 000002
【図３】
0004985539.tif 000003
【図４】
0004985539.tif 000004
【図５】
0004985539.tif 000005
【図６】
0004985539.tif 000006
【図７】
0004985539.tif 000007
【図８】
0004985539.tif 000008
【図９】
0004985539.tif 000009
【図１０】
0004985539.tif 000010
【図１】
0004985539.tif 000011